(57)【特許請求の範囲】
【請求項１】
移動端末がローミングする時の移動通信方法において、
ホームロケーションレジスタが、該移動端末の加入者データに未サポートの補助サービスが含まれていることをローミング先の移動用交換機から通知されたとき、該移動用交換機を介して詳細理由を添付した位置登録拒否を該移動端末に通知し、該移動端末が、該詳細理由を参照して該ローミング要求に係る補助サービスを加入者制御により登録解除したことが該移動用交換機を介して該ホームロケーションレジスタに通知されたときのみ該ホームロケーションレジスタが該位置登録の受付を行うことを特徴とした移動通信方法。
【請求項２】
移動端末がローミングする時の移動通信方法において、
ホームロケーションレジスタが、該移動端末の加入者データに未サポートの補助サービスが含まれていることをローミング先の移動用交換機から通知されたとき、予め有する該移動端末のローミング条件データを参照して該移動端末のローミング条件をチェックし、ローミング優先に設定されているときには、該当する補助サービスを非活性化してこの時の加入者データを該移動用交換機に送出した後、非活性化の詳細理由を添付した位置登録の受付を該移動用交換機を介して該移動端末に通知し、ローミング優先に設定されていないときには、該移動用交換機を介して詳細理由を添付した位置登録拒否を該移動端末に通知し、該移動端末が、該詳細理由を参照して該補助サービスを加入者制御により登録解除したことが該移動用交換機を介して該ホームロケーションレジスタに通知されることにより該ホームロケーションレジスタが該位置登録の受付を行うことを特徴とした移動通信方法。
【請求項３】
移動端末がローミングする時の移動通信方法において、
ホームロケーションレジスタが、該移動端末の加入者データに未サポートの補助サービスが含まれていることを該移動用交換機から通知されたとき、該移動用交換機を介して詳細理由を添付した位置登録拒否を該移動端末に通知し、該移動端末が予め有する自局のローミング条件データを参照して該ローミング条件をチェックし、ローミング優先に設定されているときには、該当する補助サービスの登録解除を自動的に実施し、ローミング優先に設定されていないときには、該移動端末が、該詳細理由を参照して該補助サービスを加入者制御により登録解除が実施されることにより該ホームロケーションレジスタが該位置登録の受付を行うことを特徴とした移動通信方法。
【請求項４】
請求項１乃至３のいずれかにおいて、
該登録解除が該ホームロケーションレジスタに通知されたとき、該ホームロケーションレジスタが該登録解除の受付を該移動用交換機を介して該移動端末に返送し、この後、該移動端末が再度位置登録要求を該ホームロケーションレジスタに送って該位置登録を行うことを特徴とした移動通信方法。
【請求項５】
請求項１乃至４のいずれかにおいて、
該登録解除の通知が自動的に再度の位置登録要求を含むことを特徴とした移動通信方法。
【請求項６】
請求項１乃至５のいずれかにおいて、
該移動端末による該登録解除が、ローミング不可対象の補助サービスに対するものではないとき、該移動用交換機が該登録解除を拒否することを特徴とした移動通信方法。
【請求項７】
請求項３において、
該移動端末が、該自動登録解除の内容を表示することを特徴とした移動通信方法。
【発明の詳細な説明】
【発明の属する技術分野】
本発明は移動通信方法に関し、特に移動端末が移動用交換機を介してホームロケーションレジスタにローミングする時の移動通信方法に関するものである。
【０００１】
近年の移動通信の発達により、移動通信網を経営する会社が増加して来ている。このため、図１１に示すように、各移動端末（加入者）ＭＳが所属するホーム網（自網）Ｈと他の会社の網Ａが存在する。
【０００２】
この場合、各網にはホームロケーションレジスタＨＬＲ(Home Location Register)が設けられており、移動端末ＭＳの加入者データを保持しているが、移動端末ＭＳは移動用交換機ＭＳＣ(Mobile Switching Center)（又は在圏ロケーションレジスタＶＬＲ(Visitor Location Register)であるが、以下、移動用交換機で記述する。）を介してホームロケーションレジスタＨＬＲと交信するので、移動端末がホーム網Ｈから他網Ａに移動するときには、移動用交換機ＭＳＣ及びホームロケーションレジスタＨＬＲとの通信を可能にすること、すなわちローミングを可能にするための移動通信方法が必要になっている。
【０００３】
【従来の技術】
図１２には、従来の移動通信方法による動作シーケンス例が示されており、同図（ａ）に示すように、まず、移動端末ＭＳが図１１の例で示したように自網Ｈから他網Ａに移動したときに位置登録要求を行うと（ステップＳ１）、まず他網Ａの移動用交換機ＭＳＣがこれを受けて、この位置登録要求をホーム網ＨのホームロケーションレジスタＨＬＲに転送する（ステップＳ２）。
【０００４】
これを受けて、ホームロケーションレジスタＨＬＲは予め保持している加入者データを送出し（ステップＳ３）、これを受けた移動用交換機ＭＳＣは該移動端末ＭＳが加入し且つローミング時に活性化している加入者データのサービスがサポートされている場合、この加入者データを受け付けた旨の応答をホームロケーションレジスタＨＬＲに通知する（ステップＳ４）。
【０００５】
ホームロケーションレジスタＨＬＲは位置登録の受付を行い（ステップＳ５）、移動用交換機ＭＳＣはこれを移動端末ＭＳに転送して（ステップＳ６）、ローミングを実現している。
【０００６】
一方、その移動端末ＭＳが加入し且つローミング時に活性化しているサービスの一部（補助サービス（付加サービス））をサポートしていない場合、同図（ｂ）に示すようにローミングを拒否することになる。
【０００７】
すなわち、ステップＳ１〜Ｓ３までは同図（ａ）と同様に行われるが、移動用交換機ＭＳＣからの加入者データの応答がサポートしていない補助サービスであることを示している場合（ステップＳ４’）、ホームロケーションレジスタＨＬＲは位置登録を拒否し（ステップＳ７）、これを受けて移動用交換機ＭＳＣはその「位置登録拒否」を移動端末ＭＳに通知し（ステップＳ８）、ローミングを拒否している。
【０００８】
【発明が解決しようとする課題】
上記のように、ローミングを拒否する場合、従来例ではその詳細理由（情報）の通知が無いため、加入者は何故ローミング不可となったかを理解できない。
【０００９】
そして、その補助サービスが利用出来ない網でローミングを拒否された場合に、それでもなおローミングを希望する場合、ローミング可能な網にローミングし直して該当する補助サービスを非活性化するという制御を実施するまで待たなければならなかった。
【００１０】
すなわち、地理的にローミング可能な網がなければさらに移動してローミング可能な網を見つけ出し加入者制御（ユーザー操作）を実施しなければならないという課題があった。
【００１１】
従って本発明は、移動端末がローミングする時の移動通信方法において、ローミング不可の網でも加入者制御を実施可能にすることを目的とする。
【００１２】
【課題を解決するための手段】
〔１〕上記の目的を達成するため、本発明に係る移動通信方法は、ホームロケーションレジスタが、移動端末の加入者データに未サポートの補助サービスが含まれていることをローミング先の移動用交換機から通知されたとき、該移動用交換機を介して詳細理由を添付した位置登録拒否を該移動端末に通知し、該移動端末が、該詳細理由を参照して該ローミング要求に係る補助サービスを加入者制御により登録解除したことが該移動用交換機を介して該ホームロケーションレジスタに通知されたときのみ該ホームロケーションレジスタが該位置登録の受付を行うことを特徴としたものである。
【００１３】
すなわち、本発明では、移動用交換機から未サポートの加入者データであることが通知された時、ホームロケーションレジスタは「位置登録要求」を受け付けることが出来ないため、「位置登録拒否」で応答するが、その場合にその拒否の詳細理由を添付して移動端末に送信する。
【００１４】
そして、この詳細理由が添付された「位置登録拒否」を受けた移動端末は、加入者制御（ユーザー操作）により「位置登録拒否」の要因となる補助サービスの非活性化を行うために、当該補助サービスの「登録解除」をホームロケーションレジスタに対して通知した時、ホームロケーションレジスタはこれに基づいて「位置登録」が受け付けられた事を移動用交換機を介して移動端末に通知する。
【００１５】
このようにして、加入者制御をローミングが出来ない網の場合でも実施可能とすることにより、スムーズにローミングを可能としている。
【００１６】
〔２〕また本発明では、ホームロケーションレジスタが、移動端末の加入者データに未サポートの補助サービスが含まれていることをローミング先の移動用交換機から通知されたとき、予め有する該移動端末のローミング条件データを参照して該移動端末のローミング条件をチェックし、ローミング優先に設定されているときには、該当する補助サービスを非活性化してこの時の加入者データを該移動用交換機に送出した後、非活性化の詳細理由を添付した位置登録の受付を該移動用交換機を介して該移動端末に通知し、ローミング優先に設定されていないときには、該移動用交換機を介して詳細理由を添付した位置登録拒否を該移動端末に通知し、該移動端末が、該詳細理由を参照して該補助サービスを加入者制御により登録解除したことが該移動用交換機を介して該ホームロケーションレジスタに通知されることにより該ホームロケーションレジスタが該位置登録の受付を行うことも可能である。
【００１７】
すなわち、本発明においてはホームロケーションレジスタにおいて他網にローミングする際の加入者データの条件を予め設定しておく。
【００１８】
そして、移動端末から受信した「位置登録要求」が付加サービスの要因により受け付け不可と判断した場合、ホームロケーションレジスタは加入者データ内に設定した個別のローミング条件を参照し、この結果、ローミング優先に設定されていることが分かったときには、ローミング不可の要因である補助サービスの非活性化を実施し、「位置登録要求」を受付可能な状態に移行させる。
【００１９】
そして、ホームロケーションレジスタは該当する補助サービスを非活性化したことを示す加入者データを移動用交換機に送った後、移動用交換機を介して移動端末に対して位置登録受付を行う。この際には非活性化した（使用不能な）補助サービスを詳細理由として添付し通知する。
【００２０】
一方、上記のローミング条件をチェックした結果、ローミング優先に設定されておらず既存のサービス優先に設定されていることが分かったときには、本発明〔１〕と同様に、加入者制御に基づく「登録解除」を通知して位置登録を行うこととなる。
【００２１】
以上のようにして予め設定した条件に従ってローミング不可の状態を解消し、スムーズなローミングを可能にしている。
【００２２】
〔３〕また本発明では、ホームロケーションレジスタが、移動端末の加入者データに未サポートの補助サービスが含まれていることを移動用交換機から通知されたとき、該移動用交換機を介して詳細理由を添付した位置登録拒否を該移動端末に通知し、該移動端末が予め有する自局のローミング条件データを参照して該ローミング条件をチェックし、ローミング優先に設定されているときには、該当する補助サービスの登録解除を自動的に実施し、ローミング優先に設定されていないときには、該移動端末が、該詳細理由を参照して該補助サービスを加入者制御により登録解除が実施されることにより該ホームロケーションレジスタが該位置登録の受付を行うことができる。
【００２３】
すなわち、本発明においては、今度はホームロケーションレジスタではなく移動端末内に他網にローミングする際の条件を設定しておく。
【００２４】
そして、移動端末からの「位置登録要求」が受付不能のため、「位置登録拒否」で応答する場合、上記と同様に拒否の詳細理由を添付する。この「位置登録拒否」を受けた移動端末において、予め設定してあるローミング条件を参照し、この条件に沿った制御を自動的に実施する。
【００２５】
すなわち、ローミング優先に設定されていれば、移動端末において自動起動による「位置登録拒否」の要因となる補助サービスの非活性化を実行し、「補助サービス登録解除」を移動用交換機を介してホームロケーションレジスタに通知する。ホームロケーションレジスタでは、この「登録解除」を受け付けた旨、移動端末に通知する。
【００２６】
移動端末は直ちに再度位置登録を実施することによりローミング不可の網に対してもスムーズなローミングが可能となる。
【００２７】
この場合、ローミング優先に設定されておらず既存のサービス優先に設定されていることが分かったときには、上記の本発明〔１〕及び〔２〕と同様に加入者制御に基づく「登録解除」を実施して位置登録を行うこととなる。
【００２８】
〔４〕また本発明では、上記の本発明〔１〕〜〔３〕のいずれかにおいて、該登録解除が該ホームロケーションレジスタに通知されたとき、該ホームロケーションレジスタが該登録解除の受付を該移動用交換機を介して該移動端末に返送し、この後、該移動端末が再度位置登録要求を該ホームロケーションレジスタに送って該位置登録を行ってもよい。
【００２９】
〔５〕また本発明では、上記の本発明〔１〕〜〔４〕のいずれかにおいて、該登録解除の通知が自動的に再度の位置登録要求を含むこととすることができる。
【００３０】
〔６〕また本発明では、上記の本発明〔１〕〜〔５〕のいずれかにおいて、該移動端末による該登録解除が、ローミング不可対象の補助サービスに対するものではないとき、該移動用交換機が該登録解除を拒否することができる。
【００３１】
〔７〕また本発明では、上記の本発明〔３〕において、該移動端末が、該自動登録解除の内容を表示することも可能である。
【００３２】
【発明の実施の形態】
図１は本発明〔１〕に係る移動通信方法の動作シーケンス例を示したもので、この内の移動用交換機ＭＳＣの処理例が図２に示されており、これらの図を参照してこの実施例の動作を以下に説明する。
【００３３】
今、図１１に示したように、移動端末ＭＳがホーム網Ｈから他網Ａに移動し、最初の位置登録を網Ａ内の移動用交換機ＭＳＣを経由して要求して来た時（図１のステップＳ１，Ｓ２）、従来通りのローミングが可能か否かのチェック（ローミング禁止エリアか否かのチェック等）を実施した後、ローミング可能であれば移動用交換機ＭＳＣに対し加入者データを送出する（ステップＳ３）。
【００３４】
移動用交換機ＭＳＣでは、受信した加入者データをチェックし、自網で未サポートの補助サービス（以下、補助サービスＳＳ１と呼ぶ）が活性化されている場合、このことをホームロケーションレジスタＨＬＲに通知する（ステップＳ４）。
【００３５】
この通知を受けたホームロケーションレジスタＨＬＲは「位置登録拒否」に詳細理由「補助サービスＳＳ１未サポート」を添付して移動用交換機ＭＳＣに通知する（ステップＳ７）。
【００３６】
これに応じて、移動用交換機ＭＳＣにおいてはローミング不許可フラグ及び加入者制御待ちフラグを共に設定し（図２のステップＳ２１）、加入者制御を待つためタイマを起動する（ステップＳ２２）。そして、移動端末ＭＳに対して「位置登録拒否」の通知を上記の詳細理由を添付して通知する（ステップＳ８）。
【００３７】
「位置登録拒否」を受信した移動端末ＭＳは、依然ローミングを希望する場合、補助サービスＳＳ１の非活性化要求を加入者制御（ユーザー操作）により実施する（ステップＳ４１）。
この加入者制御は該当する補助サービスＳＳ１の「登録解除」という形で移動用交換機ＭＳＣに通知される（ステップＳ９）。
【００３８】
この間、移動用交換機ＭＳＣにおいては、上記のタイマが起動された後、一定のタイマ時間が満了しているか否かを判定し（ステップＳ２３）、すでにタイマ時間を経過している場合にはステップＳ２１で設定したフラグを共に解除する（ステップＳ２４）。
【００３９】
まだタイマ時間が満了していない時には、移動端末ＭＳから補助サービス登録解除の通知を受信したか否かを監視しており（ステップＳ２５）、この登録解除を受信した時にはタイマを停止させる（ステップＳ２６）。
【００４０】
そして、上記のローミング不許可フラグ及び加入者制御待ちフラグがそれぞれ設定されているか否かを判定し（ステップＳ２７，Ｓ２８）、共に設定されている状態であれば更にローミング不可補助サービスへの登録解除操作か否かを判定する（ステップＳ９）。
【００４１】
この結果、当該補助サービスＳＳ１への登録解除操作であったことが分かった時には、移動用交換機ＭＳＣはその補助サービスＳＳ１を解除する旨ホームロケーションレジスタＨＬＲに通知する（ステップＳ１０）。
【００４２】
なお、ステップＳ２７，Ｓ２８においてそれぞれフラグが設定されていない場合、並びにステップＳ９において補助サービスＳＳ１への登録解除操作していない場合はいずれも「当該登録解除拒否」を移動端末ＭＳに対して通知する（ステップＳ９’）。
【００４３】
このようにして、移動用交換機ＭＳＣは、ホームロケーションレジスタＨＬＲから「補助サービス登録解除」の受付を受信した時（ステップＳ１１）、ローミング不許可フラグ及び加入者許可待ちフラグをそれぞれ解除しておき（ステップＳ２９）、「補助サービス登録解除受付」を移動端末ＭＳに転送する（ステップＳ１２）。
【００４４】
なお、この実施例では、ステップＳ９の「登録解除」の要求（加入者制御要求）を行う時に、同時に位置登録再要求があったものと移動用交換機ＭＳＣ及びホームロケーションレジスタＨＬＲで見做して、登録受付を行う際にも同時に位置登録の受付を行っている（ステップＳ９〜Ｓ１２）。
【００４５】
図３は本発明〔２〕に係る移動通信方法の動作シーケンス例を示したものであり、この実施例における移動端末ＭＳ、移動用交換機ＭＳＣ、及びホームロケーションレジスタＨＬＲのそれぞれの処理例が図４乃至図６にそれぞれ示されている。以下、これらの図を参照して、この実施例の動作を説明する。
【００４６】
まず、この実施例においては、ホームロケーションレジスタＨＬＲ内の加入者データ内の補助サービスにローミング条件フラグの設定エリアを設ける。この一例が図７に示されている。
【００４７】
このローミング条件は、補助サービス関連のサービス・オーダー投入時に、他網にローミングする際の条件を設定可能にする。すなわち、ローミング時に活性化されている既存のサービスを優先するか又はローミングすることを優先するかを設定しておく。ただし、特に、指定の無い場合は従来通り既存サービス優先としておく。
【００４８】
この実施例においては、ステップＳ１〜Ｓ４は図１に示した動作シーケンス例と同様であるのでここでは説明を省略する。
【００４９】
この後、ホームロケーションレジスタＨＬＲにおいては、補助サービスＳＳ１が未サポートである旨通知されているので、この補助サービスＳＳ１のローミング条件フラグをチェックする（図３のステップＳ５０，図６のステップＳ５１，Ｓ５２）。
【００５０】
この結果、ローミング優先に設定されている時には、先ず、自動的に該当する補助サービスＳＳ１を非活性化状態に移行させ（ステップＳ５３）、移動用交換機ＭＳＣに対し再度、非活性化した補助サービスＳＳ１を含む加入者データを送付する（ステップＳ３１）。
【００５１】
移動用交換機ＭＳＣにおいてはこの加入者データを受けると加入者応答をホームロケーションレジスタＨＬＲに返送した後（ステップＳ３２）、移動端末ＭＳからの「位置登録要求」に対し、「位置登録受付」を詳細理由「補助サービスＳＳ１非活性化」を添付して移動用交換機ＭＳＣ経由で移動端末ＭＳに通知する（ステップＳ５，Ｓ６）。
【００５２】
一方、ステップＳ５２において、ローミング条件が既存サービス優先に設定されていることか分かったときには、図１の例と同様に詳細理由を添付して「位置登録拒否」を通知する（ステップＳ７，Ｓ８）。
【００５３】
この後は、図１の例と同様に、加入者制御（ステップＳ４１）及び「補助サービス登録解除（位置登録再要求）」（ステップＳ９，Ｓ１０）、及び「補助サービス登録解除受付（位置登録受付）」（Ｓ１１，Ｓ１２）を実行する。
【００５４】
図８は本発明〔３〕に係る移動通信方法の動作シーケンス例を示したものであり、この実施例における移動端末ＭＳ及びホームロケーションレジスタＨＬＲの処理例がそれぞれ図９及び図１０に示されている。なお、移動用交換機ＭＳＣの処理例は図２に示した処理例と同様である。
【００５５】
まず、この実施例においては移動端末ＭＳ内にローミング条件設定エリアを設ける。このローミング条件とは図３のステップＳ５０と同様に、補助サービス毎にローミング条件フラグの設定を可能とするものである。すなわち、ローミング時に活性化されているサービスを優先するかローミングすることを優先するかを設定しておく。
【００５６】
この実施例においてもステップＳ１〜Ｓ８は図１に示した動作シーケンス例と同様であるのでここでは説明を省略する。
【００５７】
なお、ステップＳ８における「位置登録拒否」を移動端末に通知する際、移動用交換機ＭＳＣは加入者データ内にローミング不許可フラグ及び加入者制御待ちフラグを設定すると共に加入者制御待ちタイマを起動しておく（図２のステップＳ２１，Ｓ２２）。
【００５８】
「位置登録拒否」を受信した移動端末ＭＳは、予め設定されたローミング条件をチェックし（図８のステップＳ６０，図９のステップＳ６１，６２）、この結果、ローミング優先に設定されている場合、自動的に補助サービスＳＳ１の非活性化要求を実施するために、その補助サービスＳＳ１の「登録解除」を移動用交換機ＭＳＣに通知する（ステップＳ９）。
【００５９】
このような加入者制御通知を受信した移動用交換機ＭＳＣは加入者データをチェックし、ローミング不許可フラグ及び加入者制御待ちフラグの両者が設定されており、補助サービス登録解除要求（加入者制御要求）がローミング不可の要因となっている補助サービスＳＳ１に関するものである場合のみ加入者制御を受け付け、ホームロケーションレジスタＨＬＲに当該補助サービス登録解除要求として加入者制御要求を送出する（図２のステップＳ２７，Ｓ２８，Ｓ９，Ｓ１０）。それ以外の場合は要求を拒否する（ステップＳ９’）。
【００６０】
移動用交換機ＭＳＣから加入者制御要求を受信したホームロケーションレジスタＨＬＲは、この処理を実行し、加入者制御受付、すなわち「補助サービス登録受付」を返送する（ステップＳ１１）。
【００６１】
これを受信した移動用交換機ＭＳＣは移動端末ＭＳに転送する（ステップＳ１２）と共に加入者制御待ちフラグをクリアする（ステップＳ２９）。
【００６２】
自動起動の加入者制御受付を受信した移動端末ＭＳは直ちに再度「位置登録要求」を送出する（ステップＳ１’）。
この「位置登録要求」を受信した移動用交換機ＭＳＣはローミング不許可状態の場合、移動用交換機ＭＳＣの制御下で最初の位置登録を受信した場合と同様にホームロケーションレジスタＨＬＲに該要求を転送する（ステップＳ２’）。
【００６３】
ホームロケーションレジスタＨＬＲは再度加入者データを移動用交換機ＭＳＣに送出し（ステップＳ３’）、移動用交換機ＭＳＣからその応答を受けた後（ステップＳ４’）、「位置登録受付」を返送する（ステップＳ５’，Ｓ６’）。
【００６４】
移動用交換機ＭＳＣ経由で「位置登録受付」を受信した移動端末ＭＳは自動起動した加入者制御内容を表示し（ステップＳ１９）、加入者にローミング済であることを知らせることができる。
【００６５】
なお、上記の説明においては、移動用交換機ＭＳＣについて説明したが、在圏ロケーションレジスタＶＬＲについも同様である。
【００６６】
【発明の効果】
以上説明したように本発明に係る移動通信方法によれば、移動端末が補助サービスの一部が利用できないような網にローミングする際に、利用不可のサービスを移動端末に通知し、加入者自身にローミングするか否かの判断をさせてその後の加入者制御を受け付けるか、或いは移動端末毎に予めローミング条件を網側又は移動端末側で設定しておき、その条件に従って網側又は移動端末側で加入者のサービスを自動的に非活性化させて位置登録するように構成したので、ローミング不可の網でもスムーズにローミングが可能となる。
【図面の簡単な説明】
【図１】本発明〔１〕に係る移動通信方法の動作シーケンス例を示した図である。
【図２】本発明〔１〕に係る移動通信方法に用いられる移動用交換機の処理例を示したフローチャート図である。
【図３】本発明〔２〕に係る移動通信方法の動作シーケンス例を示した図である。
【図４】本発明〔２〕に係る移動通信方法に用いられる移動端末の処理例を示したフローチャート図である。
【図５】本発明〔２〕に係る移動通信方法に用いられる移動用交換機の処理例を示したフローチャート図である。
【図６】本発明〔２〕に係る移動通信方法に用いられるホームロケーションレジスタの処理例を示したフローチャート図である。
【図７】本発明に係る移動通信方法で用いられるローミング条件を含む加入者データ例を示した図である。
【図８】本発明〔３〕に係る移動通信方法の動作シーケンス例を示した図である。
【図９】本発明〔３〕に係る移動通信方法に用いられる移動端末の処理例を示したフローチャート図である。
【図１０】本発明〔３〕に係る移動通信方法に用いられるホームロケーションレジスタの処理例を示したフローチャート図である。
【図１１】本発明及び従来例に共通なシステム構成例を示した図である。
【図１２】従来例に係る移動通信方法の動作シーケンス例を示した図である。
【符号の説明】
ＭＳ  移動端末
ＭＳＣ  移動用交換機
ＶＬＲ  在圏ロケーションレジスタ
ＨＬＲ  ホームロケーションレジスタ
図中、同一符号は同一または相当部分を示す。
【図１】
0003655456.tif 000002
【図２】
0003655456.tif 000003
【図３】
0003655456.tif 000004
【図４】
0003655456.tif 000005
【図５】
0003655456.tif 000006
【図６】
0003655456.tif 000007
【図７】
0003655456.tif 000008
【図８】
0003655456.tif 000009
【図９】
0003655456.tif 000010
【図１０】
0003655456.tif 000011
【図１１】
0003655456.tif 000012
【図１２】
0003655456.tif 000013